(57)【要約】【課題】複数の記録層を有する情報記録媒体について適切な記録速度で情報の記録を行なうことを可能とする。【解決手段】情報を夫々記録するための複数の記録層（Ｌ０層、Ｌ１層）を備える情報記録媒体であって、複数の記録層（Ｌ０層、Ｌ１層）の少なくとも一つは、情報を記録する際における記録可能最高速度を規定する記録速度管理情報が記録される管理情報領域を有する。【選択図】図３
2006190476.tif 000002
【特許請求の範囲】
【請求項１】
情報を夫々記録するための複数の記録層を備える情報記録媒体であって、
前記複数の記録層の少なくとも一つは、前記情報を記録する際における記録可能最高速度を規定する記録速度管理情報が記録される管理情報領域を有することを特徴とする情報記録媒体。
【請求項２】
前記記録速度管理情報は、前記複数の記録層毎に前記記録可能最高速度を示す記録速度情報を含むことを特徴とする請求項１に記載の情報記録媒体。
【請求項３】
前記記録速度管理情報は、前記記録速度情報に対応する形で、前記複数の記録層毎に最適記録条件を示す記録条件情報を更に含むことを特徴とする請求項２に記載の情報記録媒体。
【請求項４】
前記記録速度管理情報は、前記記録速度情報及び前記記録条件情報が前記複数の記録層別に登録され且つインデックスを夫々有するテーブルを有することを特徴とする請求項３に記載の情報記録媒体。
【請求項５】
当該情報記録媒体は、複数の記録可能最高速度毎の最適記録条件を示す記録条件情報が登録された情報記録装置によって記録されるものであり、
前記記録速度管理情報は、前記複数の記録層毎に前記記録可能最高速度を示す記録速度情報を含むことを特徴とする請求項１に記載の情報記録媒体。
【請求項６】
当該情報記録媒体は、複数の情報記録媒体を夫々識別する識別情報別に、前記最高速度を示す記録速度情報と前記複数の記録可能最高速度毎の最適記録条件を示す記録条件情報とが登録された情報記録装置によって記録されるものであり、
前記記録速度管理情報は、当該情報記録媒体を識別する識別情報を含むことを特徴とする請求項１に記載の情報記録媒体。
【請求項７】
前記記録速度管理情報は少なくとも部分的に、当該情報記録媒体におけるプレ情報として当該情報記録媒体の製造当初から記録されていることを特徴とする請求項１に記載の情報記録媒体。
【請求項８】
前記記録速度管理情報は少なくとも部分的に、当該情報記録媒体における追記又は書換え可能な情報として記録又は更新されることを特徴とする請求項１に記載の情報記録媒体。
【請求項９】
前記管理情報領域は、前記複数の記録層のうち、最上層の内周寄りに配置されており且つ前記記録速度管理情報が前記複数の記録層についてまとめて記録された部分を含むことを特徴とすることを特徴とする請求項１に記載の情報記録媒体。
【請求項１０】
前記管理情報領域は、前記複数の記録層毎に設けられていることを特徴とする請求項１に記載の情報記録媒体。
【請求項１１】
前記複数の記録可能最高速度は、前記複数の記録層のうち上層側である程より高速であるように規定されていることを特徴とする請求項１に記載の情報記録媒体。
【請求項１２】
情報を夫々記録するための複数の記録層を備える情報記録媒体であって、前記複数の記録層の少なくとも一つは、前記情報を記録する際における記録可能最高速度を規定する記録速度管理情報が記録される管理情報領域を有する情報記録媒体に情報を記録する情報記録装置であって、
前記管理情報領域から前記記録速度管理情報を読み込む読込手段と、
前記読み込まれた記録速度管理情報により規定される前記複数の記録層毎の前記記録可能最高速度のうち、前記情報を記録すべき記録対象層に対応する記録可能最高速度の範囲内で、前記記録対象層に対応する記録速度を設定する記録速度設定手段と、
前記設定された記録速度で前記記録対象層に対して前記情報を記録する記録手段と
を備えたことを特徴とする情報記録装置。
【請求項１３】
前記記録速度管理情報は、前記複数の記録層毎に前記記録可能最高速度を示す記録速度情報を含み、更に、前記記録速度情報に対応する形で、前記複数の記録層毎に最適記録条件を示す記録条件情報を含み、
前記記録速度設定手段は、前記記録速度管理情報の少なくとも一部として読み込まれた前記記録速度情報及び前記記録条件情報に基づいて、前記記録対象層に対応する前記記録速度及び記録条件を設定する
ことを特徴とする請求項１２に記載の情報記録装置。
【請求項１４】
前記記録速度管理情報は、前記複数の記録層毎に前記記録可能最高速度を示す記録速度情報を含み、
複数の記録可能最高速度毎の最適記録条件を示す記録条件情報が登録されている記憶手段を更に備え、
前記読込手段は、前記記録速度管理情報の少なくとも一部として、前記記録速度情報を読み込み、
前記記録速度設定手段は、前記読み込まれた記録速度情報と前記記憶手段に登録されている前記記録条件情報のうち前記読み込まれた記録速度情報に対応するものとに基づいて、前記記録速度及び記録条件を設定する
ことを特徴とする請求項１２に記載の情報記録装置。
【請求項１５】
前記記録速度管理情報は、当該情報記録媒体を識別する識別情報を含み、
複数の情報記録媒体を夫々識別する識別情報別に、前記最高速度を示す記録速度情報と前記複数の記録可能最高速度毎の最適記録条件を示す記録条件情報とが登録されている記憶手段を更に備え、
前記読込手段は、前記記録速度管理情報の少なくとも一部として、前記識別情報を読み込み、
前記記録速度設定手段は、前記記憶手段に登録されている前記記録速度情報及び前記記録条件情報のうち、前記読み込まれた識別情報に対応するものに基づいて、前記記録速度及び記録条件を設定することを特徴とする請求項１２に記載の情報記録装置。
【請求項１６】
情報を夫々記録するための複数の記録層を備える情報記録媒体であって、前記複数の記録層の少なくとも一つは、前記情報を記録する際における記録可能最高速度を規定する記録速度管理情報が記録される管理情報領域を有する情報記録媒体に情報を記録する情報記録方法であって、
前記管理情報領域から前記記録速度管理情報を読み込む読込工程と、
前記読み込まれた記録速度管理情報により規定される前記複数の記録層毎の前記記録可能最高速度のうち、前記情報を記録すべき記録対象層に対応する記録可能最高速度の範囲内で、前記記録対象層に対応する記録速度を設定する記録速度設定工程と、
前記設定された記録速度で前記記録対象層に対して前記情報を記録する記録工程と
を備えたことを特徴とする情報記録方法。
【発明の詳細な説明】
【技術分野】
【０００１】
本発明は、例えばＤＶＤ等の情報記録媒体、並びにＤＶＤレコーダ等の情報記録装置及び方法の技術分野に関する。
【背景技術】
【０００２】
例えば、光ディスク等の情報記録媒体では、その種類に応じて、記録層に対して情報を記録可能な最高速度（本願では適宜「記録可能最高速度」と称する）が規定されている。そして、情報記録装置は、記録可能最高速度の範囲内で、当該情報記録装置の機能に見合った記録速度で情報の記録を行なうように構成されている。
【０００３】
ここで、特許文献１等に記載されているように、同一基板上に複数の記録層が積層されてなる多層型若しくはデュアルレイヤ又はマルチプルレイヤ型の光ディスク等の情報記録媒体も開発されている。情報記録装置は、このような多層型の情報記録媒体に対して定義された記録速度で、例えば先ずその最上層に位置する記録層に対して記録を行い、その後、その二層目に位置する記録層に対して記録を行うこととなる。
【０００４】
【特許文献１】特開２００１−２３２３７号公報
【発明の開示】
【発明が解決しようとする課題】
【０００５】
しかしながら、上述した多層型の情報記録媒体の場合には、設計要因などで物理的に記録可能な最高速度が、各記録層で異なる可能性がある。特に厳密な意味では、各記録層が個別に有する感度を主要因として、それらの最高速度は大なり小なり相互に異なる筈である。更に、上層側の記録層と下層側の記録層とで、積極的に記録可能最高速度に相違を持たせた方が有利となるような用途或いは仕様も考えられ得る。このように各記録層における記録可能最高速度に相違がある場合に、上述した背景技術の如く、各情報記録媒体に対して記録可能最高速度を定義してしまうと、最も記録可能最高速度が低い記録層に合わせて、当該情報記録媒体の全体について記録可能最高速度を定義してしまうこととなる。よって、該他の記録層においては、より高い記録速度での記録が可能であるにも拘わらず、実際には、それより低い記録速度で記録を行なうことが強いられる。このように、該他の記録層における記録速度は、最も記録可能最高速度が低い記録層における記録速度による制限を受けてしまうので、全体として考えれば、潜在的に可能である筈の記録速度による記録が行えないという技術的問題点が生じる。
【０００６】
本発明は、例えば上述した従来の問題点に鑑みなされたものであり、例えば各記録層について適切な記録速度で情報の記録を行なうことを可能とならしめる多層型の情報記録媒体、情報記録装置及び方法を提供することを課題とする。
【課題を解決するための手段】
【０００７】
本発明の請求項１に記載の情報記録媒体は上記課題を解決するために、情報を夫々記録するための複数の記録層を備える情報記録媒体であって、前記複数の記録層の少なくとも一つは、前記情報を記録する際における記録可能最高速度を規定する記録速度管理情報が記録される管理情報領域を有する。
【０００８】
本発明の請求項１２に記載の情報記録装置は上記課題を解決するために、情報を夫々記録するための複数の記録層を備える情報記録媒体であって、前記複数の記録層の少なくとも一つは、前記情報を記録する際における記録可能最高速度を規定する記録速度管理情報が記録される管理情報領域を有する情報記録媒体に情報を記録する情報記録装置であって、前記管理情報領域から前記記録速度管理情報を読み込む読込手段と、前記読み込まれた記録速度管理情報により規定される前記複数の記録層毎の前記記録可能最高速度のうち、前記情報を記録すべき記録対象層に対応する記録可能最高速度の範囲内で、前記記録対象層に対応する記録可能最高速度を設定する記録速度設定手段と、前記設定された記録可能最高速度で前記記録対象層に対して前記情報を記録する記録手段とを備える。
【０００９】
本発明の請求項１６に記載の情報記録方法は上記課題を解決するために、情報を夫々記録するための複数の記録層を備える情報記録媒体であって、前記複数の記録層の少なくとも一つは、前記情報を記録する際における記録可能最高速度を規定する記録速度管理情報が記録される管理情報領域を有する情報記録媒体に情報を記録する情報記録方法であって、前記管理情報領域から前記記録速度管理情報を読み込む読込工程と、前記読み込まれた記録速度管理情報により規定される前記複数の記録層毎の前記記録可能最高速度のうち、前記情報を記録すべき記録対象層に対応する記録可能最高速度の範囲内で、前記記録対象層に対応する記録可能最高速度を設定する記録速度設定工程と、前記設定された記録速度で前記記録対象層に対して前記情報を記録する記録工程とを備える。
【００１０】
本発明の作用及び利得は次に説明する実施の形態から明らかにされる。
【発明を実施するための最良の形態】
【００１１】
（情報記録装置の実施形態）
先ず、本発明の実施形態に係る情報記録媒体について説明する。
【００１２】
本発明の情報記録媒体に係る実施形態は、情報を夫々記録するための複数の記録層を備える情報記録媒体であって、前記複数の記録層の少なくとも一つは、前記情報を記録する際における記録可能最高速度を規定する記録速度管理情報が記録される管理情報領域を有する。
【００１３】
本発明の情報記録媒体によれば、基板の一方の面上に積層された、即ち、例えば多層型若しくはデュアルレイヤ又はマルチプルレイヤ型の光ディスク等の多層型の情報記録媒体を構成する複数の記録層のうち、少なくとも一つは、例えばその内周寄りのリードインエリア内やその付近に管理情報領域を有する。この管理情報領域には、当該情報記録媒体に情報を記録する際における、記録可能最高速速度を、複数の記録層毎に規定する記録速度管理情報が記録される。この記録速度管理情報は、当該情報記録媒体の製造当初から記録されていてもよいし、その後の、プリフォーマット時或いはフォーマット時に記録されてもよい。更に、実際にユーザデータエリア等への情報の記録が行われた後に、その際のエラーレート等の状況に応じて、記録速度管理情報は、決定、変更又は更新されてもよいし、或いは、情報の記録が行なわれる前には、デフォールトの値が管理情報上法領域に記録されていてその後に非デフォールト値で更新されてもよい。
【００１４】
尚、記録速度管理情報は、記録可能最高速度を直接示す情報（例えば、後述の“記録速度情報”）であってもよいし、記録可能最高速度を間接的に示す情報（例えば、後述の“識別情報”）であってもよい。
【００１５】
このように記録速度管理情報が管理情報領域に記録されているので、例えば光ディスクレコーダ等の情報記録装置による、その記録時には、先ず、係る記録速度管理情報が読み込まれる。そして、この記録速度管理情報に基づけば、記録可能最高速度を、複数の記録層毎に、（例えば、後述の“記録速度情報”として）直接的に取得できるか又は間接的に（例えば、後述の“識別情報”を介して）取得できる。更に、これに紐付けられた情報として取得可能な、例えば記録用レーザの最適パワーやストラテジ等を規定する情報（例えば、後述の最適記録条件を示す“記録条件情報”）についても、複数の記録層毎に、取得してもよい。
【００１６】
そして、複数の記録層のうち一の記録層に対して記録を行なう際には、記録速度管理情報に基づいて取得された、当該一の記録層についての記録可能最高速度Ｖ１に従って記録速度を設定した上で、記録を行なうことが可能となる。しかも、複数の記録層のうち他の記録層に対して記録を行なう際には、記録速度管理情報に基づいて取得された、当該他の記録層についての記録可能最高速度Ｖ２（但し、一般にＶ２は、Ｖ１と異なるか又は等しい）に従って記録速度を設定した上で、記録を行なうことが可能となる。何れの場合にも、背景技術の如く各情報記録媒体に対して記録可能最高速度を定義する場合と比較して、他の記録可能最高速度が低い記録層における記録速度による制限を受けることなく、複数の記録層の各々について潜在的に可能である最も高い記録速度による記録が行える。
【００１７】
以上のように、複数の記録層間において設計要因などで物理的に記録可能な最高速度が、大なり小なり相異なっている場合にも、或いは、各記録層における記録可能最高速度を積極的に相異なるように設計した場合にも、他の記録層における記録速度による制限を受けることなく、複数の記録層の各々について潜在的に可能である最も高い記録速度による記録が行える。
【００１８】
本発明の情報記録媒体に係る実施形態の一態様では、前記記録速度管理情報は、前記複数の記録層毎に前記記録可能最高速度を示す記録速度情報を含む。
【００１９】
この態様によれば、その記録時には、先ず、記録速度管理情報に含まれる、複数の記録層毎に記録可能最高速度を示す記録速度情報が読み込まれる。すると、情報記録装置では、記録可能最高速度を、複数の記録層毎に直接的に取得できることとなる。従って、該記録可能最高速度と当該情報記録装置の機能とに応じて、複数の記録層の各々について、潜在的に可能である最も高い記録速度による記録が行える。
【００２０】
この態様では、前記記録速度管理情報は、前記記録速度情報に対応する形で、前記複数の記録層毎に最適記録条件を示す記録条件情報を更に含むように構成してもよい。
【００２１】
このように構成すれば、その記録時には、記録速度情報が読み込まれた際に、例えば記録用レーザの最適パワーやストラテジ等の最適記録条件を示す記録条件情報についても、取得可能となる。よって、情報記録装置では、複数の記録層の各々について、最適記録条件で記録が行える。
【００２２】
この場合更に、前記記録速度管理情報は、前記記録速度情報及び前記記録条件情報が前記複数の記録層別に登録され且つインデックスを夫々有するテーブルを有するように構成してもよい。
【００２３】
このように構成すれば、例えば、管理情報領域に、インデックスＰ２とされたテーブルには、記録速度情報と記録条件情報とが、×１（１倍速）用、×２（２倍速）用…として、登録されており、インデックスＰ３とされたテーブルには、×１（１倍速）用、×２（２倍速）用、×４（４倍速）用…として、登録されている。従って、情報記録装置においては、テーブルを参照することで、確実且つ迅速に、記録可能最高速度と最適レーザパワーやストラテジ等の最適記録条件とを取得できる。
【００２４】
或いは本発明の情報記録媒体に係る実施形態の他の態様では、当該情報記録媒体は、複数の記録可能最高速度毎の最適記録条件を示す記録条件情報が登録された情報記録装置によって記録されるものであり、前記記録速度管理情報は、前記複数の記録層毎に前記記録可能最高速度を示す記録速度情報を含む。
【００２５】
この態様によれば、その記録時には、先ず、複数の記録層毎に記録可能最高速度を示す記録速度情報が読み込まれる。すると、情報記録装置では、このように読み込まれた記録速度情報に対応するものとして、予め登録されている記録条件情報が取得される。従って、比較的容易にして、これらの情報記録媒体側から取得された記録速度情報と情報記録装置側から取得された記録条件情報とに基づいて、各記録層の各々について最適な記録速度且つ最適な記録条件で、情報の記録を行うことが可能となる。
【００２６】
或いは本発明の情報記録媒体に係る実施形態の他の態様では、当該情報記録媒体は、複数の情報記録媒体を夫々識別する識別情報別に、前記最高速度を示す記録速度情報と前記複数の記録可能最高速度毎の最適記録条件を示す記録条件情報とが登録された情報記録装置によって記録されるものであり、前記記録速度管理情報は、当該情報記録媒体を識別する識別情報を含む。
【００２７】
この態様によれば、その記録時には、先ず、当該情報記録媒体を識別する識別情報が読み込まれる。すると、情報記録装置では、このように読み込まれた識別情報に対応するものとして、予め登録されている記録速度情報と記録条件情報とが取得される。従って、比較的容易にして、これらの情報記録媒体側から取得された識別情報と情報記録装置側から取得された記録速度情報と記録条件情報とに基づいて、各記録層の各々について最適な記録速度且つ最適な記録条件で、情報の記録を行うことが可能となる。
【００２８】
本発明の情報記録媒体に係る実施形態の他の態様では、前記記録速度管理情報は少なくとも部分的に、当該情報記録媒体におけるプレ情報として当該情報記録媒体の製造当初から記録されている。
【００２９】
この態様によれば、複数の記録層の各々についての記録可能最高速度は、製造当初において、実験的、経験的に定められているので、これを規定する記録速度管理情報が、例えば、光ディスクにおけるランドプレピット等のプレピット、エンボスピットなどのプレ情報として予め記録されている。そして、記録時には、先ず、このプレ情報を読み出すことで、記録可能最高速度を、複数の記録層毎に直接的に取得できることとなる。このように記録速度管理情報をプレ情報として確実に読み出すことが可能となる。
【００３０】
本発明の情報記録媒体に係る実施形態の他の態様では、前記記録速度管理情報は少なくとも部分的に、当該情報記録媒体における追記又は書換え可能な情報として記録又は更新される。
【００３１】
この態様によれば、例えば、デフォールトの記録可能最高速度が、情報記録媒体に予め記録されているか又は情報記録装置に予め登録されている。その後、当該情報記録媒体を記録する例えば個別機種の光ディスクレコーダ等の情報記録装置における機能に応じて、或いは、情報記録装置により試験的や実際の記録を実行した際におけるエラーレートの高さ等の再生状況に応じて、新たな記録可能最高速度が設定される。そして、該新たな記録可能最高速度を規定する記録速度管理情報が当該情報記録媒体の管理情報領域に追記又は更新される。従って、実際の使用状況や環境に適合した記録可能最高速度を、該新たな記録速度管理情報の追記や更新の後には、容易に取得することが可能となる。
【００３２】
本発明の情報記録媒体に係る実施形態の他の態様では、前記管理情報領域は、前記複数の記録層のうち、最上層の内周寄りに配置されており且つ前記記録速度管理情報が前記複数の記録層についてまとめて記録された部分を含む。
【００３３】
この態様によれば、管理情報領域は、最上層の内周寄りに配置されており、この部分に、記録速度管理情報が複数の記録層についてまとめて記録されているので、情報記録装置においては、その記録時に、先ず、この部分を読込めば、全ての記録層についての記録速度管理情報をまとめて取得でき、これにより直接的に又は間接的に、全ての記録層についての記録可能最高速度や最適記録条件を取得できる。従って、記録を継続する際に、層間ジャンプを一度或いは繰り返して行なう際にも、層間ジャンプを行なう以前に、層間ジャンプした後に記録する記録層についての記録速度を予め又は迅速に設定できるので、大変有利である。
【００３４】
本発明の情報記録媒体に係る実施形態の他の態様では、前記管理情報領域は、前記複数の記録層毎に設けられている。
【００３５】
この態様によれば、管理情報領域は、複数の記録層毎に設けられているので、その記録時にまとめて全ての記録層についての記録速度管理情報を取得したり、複数の記録層についての記録速度管理情報を、別々に取得することも可能となる。
【００３６】
本発明の情報記録媒体に係る実施形態の他の態様では、前記複数の記録可能最高速度は、前記複数の記録層のうち上層側である程より高速であるように規定されている。
【００３７】
この態様によれば、複数の記録可能最高速度が複数の記録層のうち上層側である程、より高速であるように規定されているので、例えば、上層側の記録層の感度を下層側の記録層の感度と比べて相対的に高く設定すると好都合となる。即ち、上層側の記録層は、下層側の記録層存在による影響を殆ど又は実践上全く受けないので、上層側については、例えば記録用レーザに対する感度が良い構成を採用することで、このように上層側に位置する程、記録可能速度をより高速にできる。更に、積極的に、上層側の記録層における記録可能最高速度を高めつつ、上層側の記録層を記録時に多用する（例えば、記録は、上層側から開始し、上層側が記録済みになってから下層側への記録を開始する）場合にも、大変有利となる。
【００３８】
（情報記録装置の実施形態）
次に、本発明の実施形態に係る情報記録装置について説明する。
【００３９】
本発明の情報記録装置に係る実施形態は、情報を夫々記録するための複数の記録層を備える情報記録媒体であって、前記複数の記録層の少なくとも一つは、前記情報を記録する際における記録可能最高速度を規定する記録速度管理情報が記録される管理情報領域を有する情報記録媒体に情報を記録する情報記録装置であって、前記管理情報領域から前記記録速度管理情報を読み込む読込手段と、前記読み込まれた記録速度管理情報により規定される前記複数の記録層毎の前記記録可能最高速度のうち、前記情報を記録すべき記録対象層に対応する記録可能最高速度の範囲内で、前記記録対象層に対応する記録速度を設定する記録速度設定手段と、前記設定された記録速度で前記記録対象層に対して前記情報を記録する記録手段とを備える。
【００４０】
本発明の情報記録装置に係る実施形態によれば、その動作時には、先ず、読込手段によって、情報記録媒体の管理情報領域に記録された記録速度管理情報が予め複数層の全てについて読み込まれる。そして、この記録速度管理情報に基づけば、記録可能最高速度を、複数の記録層毎に、（例えば、前述の“記録速度情報”として）直接的に取得できるか又は間接的に（例えば、前述の“識別情報”を介して）取得できる。更に、これに紐付けられた情報として取得可能な、例えば記録用レーザの最適パワーやストラテジ等を規定する情報（例えば、前述の最適記録条件を示す“記録条件情報”）についても、複数の記録層毎に、直接的に又は間接的に取得してもよい。
【００４１】
次に、記録速度設定手段によって、記録対象層について取得された記録可能最高速度の範囲内で、該記録対象層に対応する記録速度が設定され、記録手段によって、このように設定された記録速度にて記録が行なわれる。更に、例えば、パラレル方式又はオポジット方式の下で層間ジャンプされ、異なる記録層間での記録が行なわれる。
【００４２】
以上のように、複数の記録層間において設計要因などで物理的に記録可能な最高速度が、大なり小なり相異なっている場合にも、或いは、各記録層における記録可能最高速度を積極的に相異なるように設計した場合にも、他の記録層における記録速度による制限を受けることなく、複数の記録層の各々について潜在的に可能である最も高い記録速度による記録が行える。
【００４３】
本発明の情報記録装置に係る実施形態の一態様では、前記記録速度管理情報は、前記複数の記録層毎に前記記録可能最高速度を示す記録速度情報を含み、更に、前記記録速度情報に対応する形で、前記複数の記録層毎に最適記録条件を示す記録条件情報を含み、前記記録速度設定手段は、前記記録速度管理情報の少なくとも一部として読み込まれた前記記録速度情報及び前記記録条件情報に基づいて、前記記録対象層に対応する前記記録速度及び記録条件を設定する。
【００４４】
この態様によれば、記録速度情報及び記録条件情報は、情報記録媒体側に記録されているので、記録時には先ず、これらの情報を読み込むことで、情報記録装置の側では容易に、記録速度及び記録条件を設定できる。また、情報記録装置の製造時に予め、例えば、メモリ等の記憶手段に記録しておく手間を省くことができる。
【００４５】
本発明の情報記録装置に係る実施形態の他の態様では、前記記録速度管理情報は、前記複数の記録層毎に前記記録可能最高速度を示す記録速度情報を含み、複数の記録可能最高速度毎の最適記録条件を示す記録条件情報が登録されている記憶手段を更に備え、前記読込手段は、前記記録速度管理情報の少なくとも一部として、前記記録速度情報を読み込み、前記記録速度設定手段は、前記読み込まれた記録速度情報と前記記憶手段に登録されている前記記録条件情報のうち前記読み込まれた記録速度情報に対応するものとに基づいて、前記記録速度及び記録条件を設定する。
【００４６】
この態様によれば、記録速度情報は、情報記録媒体側に記録されており、記録条件情報は、情報記録装置側に記録されているので、記録時には先ず、記録速度情報を読み込めば、これに対応する記録条件情報を取り出せる。従って、情報記録装置の側では容易に、記録速度及び記録条件を設定できる。
【００４７】
本発明の情報記録装置に係る実施形態の他の態様では、前記記録速度管理情報は、当該情報記録媒体を識別する識別情報を含み、複数の情報記録媒体を夫々識別する識別情報別に、前記最高速度を示す記録速度情報と前記複数の記録可能最高速度毎の最適記録条件を示す記録条件情報とが登録されている記憶手段を更に備え、前記読込手段は、前記記録速度管理情報の少なくとも一部として、前記識別情報を読み込み、前記記録速度設定手段は、前記記憶手段に登録されている前記記録速度情報及び前記記録条件情報のうち、前記読み込まれた識別情報に対応するものに基づいて、前記記録速度及び記録条件を設定する。
【００４８】
この態様によれば、記録速度情報及び記録条件情報は、情報記録装置側に記録されているので、記録時には先ず、識別情報を読み込めば、これに対応する記録速度及び記録条件を容易に設定できる。
【００４９】
（情報記録方法の実施形態）
次に、本発明の実施形態に係る情報記録方法について説明する。
【００５０】
本発明の情報記録方法に係る実施形態は、情報を夫々記録するための複数の記録層を備える情報記録媒体であって、前記複数の記録層の少なくとも一つは、前記情報を記録する際における記録可能最高速度を規定する記録速度管理情報が記録される管理情報領域を有する情報記録媒体に情報を記録する情報記録方法であって、前記管理情報領域から前記記録速度管理情報を読み込む読込工程と、前記読み込まれた記録速度管理情報により規定される前記複数の記録層毎の前記記録可能最高速度のうち、前記情報を記録すべき記録対象層に対応する記録可能最高速度の範囲内で、前記記録対象層に対応する記録速度を設定する記録速度設定工程と、前記設定された記録速度で前記記録対象層に対して前記情報を記録する記録工程とを備える。
【００５１】
本発明の情報記録方法に係る実施形態によれば、上述した本発明の情報記録装置の場合と同様に、複数の記録層の各々について潜在的に可能である最も高い記録速度による記録が行える。
【００５２】
本実施形態のこのような作用及び他の利得は次に説明する実施例から明らかにされる。
【００５３】
以上説明したように、本発明の情報記録媒体に係る実施形態によれば、基板と、記録速度管理情報が記録される管理情報領域を有する複数の記録層とを備える。従って複数の記録層の各々について潜在的に可能である最も高い記録速度による記録が可能となる。本発明の情報記録装置及び方法に係る実施形態によれば、読込手段及び工程、記録速度設定手段及び工程、並びに、記録手段及び工程とを備える。従って複数の記録層の各々について潜在的に可能である最も高い記録速度による記録が可能となる。
【実施例】
【００５４】
（情報記録媒体）
（第１実施例）
次に図１から図８を参照して、本発明の情報記録媒体の第１実施例に係る光ディスクについて詳細に説明する。
【００５５】
先ず図１を参照して、第１実施例に係る光ディスクの基本構造について説明する。ここに図１は、本発明の情報記録媒体の第１実施例に係る光ディスクの基本構造を示し、上側部分は複数の記録領域を有する光ディスクの概略平面図であり、これに対応付けられる下側部分は、その径方向における記録領域構造の図式的概念図である。
【００５６】
図１に示すように、光ディスク１００は、例えば、ＤＶＤと同じく直径１２ｃｍ程度のディスク本体上の記録面に、センターホール１を中心として内周側から外周側に向けて、本実施例に係るリードインエリア１０１、データゾーン１０２及びリードアウトエリア１０３が設けられている。そして、各記録領域には、例えば、センターホール１を中心にスパイラル状或いは同心円状に、例えば、グルーブトラック及びランドトラック等のトラック１０が交互に設けられている。また、このトラック１０上には、データがＥＣＣブロック１１という単位で分割されて記録される。ＥＣＣブロック１１は、記録情報がエラー訂正可能なプリフォーマットアドレスによるデータ管理単位である。
【００５７】
尚、本発明は、このような三つのエリアを有する光ディスクには特に限定されない。例えば、リードインエリア１０１やリードアウトエリア１０３が存在せずとも、以下に説明するデータ構造等の構築は可能である。また、後述するように、リードインエリア１０１やリードアウト１０３は更に細分化された構成であってもよい。
【００５８】
図２に示すように、第１実施例に係る光ディスク１００では、複数のデータゾーン１０２等が例えば積層構造に形成される２層型の光ディスクとして構成されている。ここに、図２は、第１実施例の光ディスクの記録面における部分拡大斜視図である。
【００５９】
図２において、第１実施例では、光ディスク１００は、ディスク状の透明基板１０６上に（図２では下側に）、情報記録面を構成する相変化型又は加熱などによる非可逆変化記録型の第１記録層１０７が積層され、更にその上に（図２では下側）に、半透過反射膜１０８が積層されている。第１記録層１０７の表面からなる情報記録面には、グルーブトラックＧＴ及びランドトラックＬＴが交互に形成されている。尚、光ディスク１００の記録時及び再生時には、例えば図２に示したように、透明基板１０６を介してグルーブトラックＧＴ上に、レーザ光ＬＢが照射される。例えば、記録時には、記録レーザパワーでレーザ光ＬＢが照射されることで、記録データに応じて、第１記録層１０７への相変化による書き込み又は加熱などによる非可逆変化記録が実施される。他方、再生時には、記録レーザパワーよりも弱い再生レーザパワーでレーザ光ＬＢが照射されることで、第1記録層１０７へ書き込みされた記録データの読出しが実施される。
【００６０】
本実施例では、グルーブトラックＧＴは、一定の振幅及び空間周波数で揺動されている。即ち、グルーブトラックＧＴは、ウォブリングされており、そのウォブル１０９の周期は所定値に設定されている。ランドトラックＬＴ上にはプリフォーマットアドレス情報を示すランドプリピットＬＰと呼ばれるアドレスピットが形成されている。この２つのアドレッシング（即ち、ウォブル１０９及びランドプリピットＬＰ）により記録中のディスク回転制御や記録クロックの生成、また記録アドレス等のデータ記録に必要な情報を得ることができる。尚、グルーブトラックＧＴのウォブル１０９を周波数変調や位相変調など所定の変調方式により変調することによりプリフォーマットアドレス情報を予め記録するようにしてもよい。
【００６１】
本実施形態では特に、半透過反射膜１０８上（図２では下側）に、第２記録層２０７が形成され、更にその上（図２では下側）に、反射膜２０８が形成されている。第２記録層２０７は、透明基板１０６、第１記録層１０７及び半透過反射膜１０８を介してレーザ光ＬＢが照射されることで、第１記録層１０７と概ね同様に、相変化型又は加熱などによる非可逆変化記録型の記録及び再生が可能なように構成されている。このような第２記録層２０７及び反射膜２０８については、第１記録層１０７及び半透過反射膜１０８等が形成された透明基板１０６上に成膜形成してもよいし、別基板上に成膜形成した後に、これを透明基板１０６に貼り合わせるようにしてもよい。尚、半透過反射膜１０８と第２記録層２０７との間には、製造方法に応じて適宜、透明接着剤等からなる透明な中間層２０５が設けられる。
【００６２】
このような二層型の光ディスク１００の記録再生時には、レーザ光ＬＢの集光位置をいずれの記録層に合わせるかに応じて、第１記録層１０７における記録再生が行なわれるか又は第２記録層２０７における記録再生が行われる。
【００６３】
尚、第１実施例に係る光ディスク１００は、図２に示した如き、２層片面、即ち、デュアルレイヤーに限定されるものではなく、１層両面、即ちダブルサイド、又は、２層両面、即ちデュアルレイヤーダブルサイドであってもよい。更に、上述の如く２層の記録層を有する光ディスクに限られることなく、３層以上の多層型の光ディスクであってもよい。
【００６４】
（パラレル方式）
次に、図３を参照して、第１実施例に係るパラレル方式の場合の光ディスクについてのデータ構造をより詳細に説明する。ここに、図３は、第１実施例に係るパラレル方式の場合の光ディスクのデータ構造の例を概念的に示すデータ構造図である。
【００６５】
図３に示すように、第１実施例に係る光ディスク１００は、図２に示した第１及び第２記録層として、Ｌ０層とＬ１層を含んでなる。
【００６６】
Ｌ０層には、内周側から外周側にかけて、リードインエリア１０１−０、データゾーン１０２−０及びリードアウトエリア１０３−０が設けられている。このリードインエリア１０１−０には、図示しないＯＰＣ（Optimum Power Calibration）エリア等が設けられている。
【００６７】
また、Ｌ１層にも、内周側から外周側にかけて、リードインエリア１０１−１、データゾーン１０２−１及びリードアウトエリア１０３−１が設けられている。このリードインエリア１０１−１にも、図示しないＯＰＣエリア等が設けられている。
【００６８】
そして、後述される情報記録再生装置の光ピックアップによって、レーザ光は、図示しない基板の側から、即ち、図３中の下側から上側に向けて照射され、その焦点距離等が制御されると共に、光ディスクの半径方向における移動距離及び方向が制御される。これにより、夫々の記録層にデータを記録し、また情報再生装置として機能する場合には記録されたデータを再生する。
【００６９】
データの記録又は再生方法には、光ピックアップによる光ディスクの半径方向における移動方向の観点から、パラレル方式とオポジット方式の２種類があり、第１実施例では、パラレル方式が採用されている。
【００７０】
ここに、パラレル方式とは、Ｌ０層において、情報記録再生装置の光ピックアップが内周側から外周側へ向かって、即ち、図３中の矢印の右方向へ移動されるのと同様にして、Ｌ１層においても、光ピックアップが内周側から外周側へ向かって、即ち、図３中の矢印の右方向へ移動される方式である。
【００７１】
このパラレル方式では、Ｌ０層における記録又は再生が終了されると、Ｌ１層における記録又は再生が開始される時に、光ディスクの最外周にある光ピックアップが再度、最内周へ向かって移動する必要があるためＬ０層からＬ１層への切り換え時間がその分だけ掛かる。
【００７２】
他方のオポジット方式については、後述される図９を参照して第２実施例において説明される。
【００７３】
次に、図４から図８を参照して、パラレル方式を採用した第１実施例に係る光ディスクのＬ０層及びＬ１層のリードインエリアに記録されるランドプリピットのデータの種類、ランドプリピットのリードインエリアにおける配置、並びに、ランドプリピットによって記録可能最高速度と最適記録条件とが識別される原理について説明する。尚、説明の便宜上、最初に、記録可能最高速度が低速な１倍速であるＬ１層について説明し、次に、記録可能最高速度が高速な４倍速であるＬ０層について説明する。
【００７４】
先ず、図４を参照して、第１実施例に係る光ディスクのＬ１層のリードインエリアに記録されるランドプリピットのデータの種類について説明する。ここに、図４は、第１実施例に係る光ディスクのＬ１層のリードインエリアに記録されるランドプリピットのデータの分類を示したテーブル図である。尚、このテーブル図は、左側の列からフィールド識別番号（Field ID）、記録される情報（Content）及び記録場所（Location）を示す。
【００７５】
図４に示されるように、Ｌ１層のリードインエリアに記録されるランドプリピットのデータは、フィールド識別番号によってＩＤ＃０からＩＤ＃５に分類される。
【００７６】
ＩＤ＃０によって識別されるランドプリピットには、ＥＣＣ（Error Correcting Code）ブロックアドレスの情報が記録される。このランドプリピットは、光ディスクの全記録領域において配置される。ここに、ＥＣＣブロックアドレスとは、誤り訂正が可能な記録単位、即ち、ＥＣＣブロックを基準とした位置情報である。
【００７７】
ＩＤ＃１によって識別されるランドプリピットには、後述される本発明に係るインデックスの一例を構成する拡張情報等の情報が記録される。このランドプリピットは、光ディスクのリードインエリアにおいて配置される。
【００７８】
ＩＤ＃２及びＩＤ＃５によって識別されるランドプリピットには、本発明に係る記録速度情報及び記録条件情報の一例を構成する１倍速用ストラテジ情報が記録される。これらのランドプリピットは、光ディスクのリードインエリアにおいて配置される。
【００７９】
ＩＤ＃３及びＩＤ＃４によって識別されるランドプリピットには、本発明に係る識別情報の一例を構成する製造識別番号の情報が記録される。これらのランドプリピットは、光ディスクのリードインエリアにおいて配置される。
【００８０】
次に、図５を参照して、パラレル方式を採用した第１実施例に係る光ディスクのＬ１層におけるランドプリピットのリードインエリアにおける配置について説明する。ここに、図５は、パラレル方式を採用した第１実施例に係る光ディスクのＬ１層におけるランドプリピットのリードインエリアにおける配置及びＥＣＣブロックアドレスを示したテーブル図である。尚、このテーブル図は、左側の列からフィールド識別番号、記録場所及びＥＣＣブロックアドレスを示す。
【００８１】
図５に示されるように、ＩＤ＃１からＩＤ＃５若しくはＩＤ＃０のフィールド識別番号によって識別されるランドプリピットが、Ｌ１層のリードインエリアにおいて、周期的に記録されている。これらのランドプリピットは、例えば「ＦＦＤＤ０５」から「ＦＦＣＦＦＦ」までのＥＣＣブロックアドレスに配置されている。
【００８２】
次に、図６を参照して、第１実施例に係る光ディスクのＬ０層のリードインエリアに記録されるランドプリピットのデータの種類について説明する。ここに、図６は、第１実施例に係る光ディスクのＬ０層のリードインエリアに記録されるランドプリピットのデータの分類を示したテーブル図である。尚、このテーブル図の構造は、前述した図４と同様である。
【００８３】
図６に示されるように、Ｌ０層のリードインエリアに記録されるランドプリピットのデータは、フィールド識別番号（Field ID）によってＩＤ＃０からＩＤ＃１３に分類される。
【００８４】
ＩＤ＃０からＩＤ＃５によって識別されるランドプリピットには、前述した図４で説明したＬ１層のリードインエリアに記録されるランドプリピットと同様のデータが記録される。
【００８５】
ＩＤ＃６及びＩＤ＃７によって識別されるランドプリピットには、本発明に係る記録速度情報及び記録条件情報の一例を構成する２倍速用ストラテジ情報が記録される。これらのランドプリピットは、光ディスクのリードインエリアにおいて配置される。
【００８６】
ＩＤ＃８からＩＤ＃１３によって識別されるランドプリピットには、本発明に係る記録速度情報及び記録条件情報の一例を構成する４倍速用ストラテジ情報が記録される。これらのランドプリピットは、光ディスクのリードインエリアにおいて配置される。
【００８７】
次に、図７を参照して、パラレル方式を採用した第１実施例に係る光ディスクのＬ０層におけるランドプリピットのリードインエリアにおける配置について説明する。ここに、図７は、パラレル方式を採用した第１実施例に係る光ディスクのＬ０層におけるランドプリピットのリードインエリアにおける配置及びＥＣＣブロックアドレスを示したテーブル図である。尚、このテーブル図の構造は、前述した図５と同様である。
【００８８】
図７に示されるように、ＩＤ＃１からＩＤ＃１３若しくはＩＤ＃０のフィールド識別番号によって識別されるランドプリピットが、Ｌ０層のリードインエリアにおいて、周期的に記録されている。これらのランドプリピットは、例えば「ＦＦＤＤ０５」から「ＦＦＣＦＦＦ」までのＥＣＣブロックアドレスに配置されている。
【００８９】
次に、図８を参照して、パラレル方式を採用した第１実施例に係る光ディスクのＬ０層及びＬ１層のリードインエリアに記録されるランドプリピットによって記録可能最高速度と最適記録条件が識別される原理について説明する。
【００９０】
ここに、図８は、第１実施例に係る光ディスクのＬ０層及びＬ１層のリードインエリアに記録されるフィールド識別番号がＩＤ＃１であるランドプリピットのデータの詳細構造を示したテーブル図等である。
【００９１】
図８に示されるように、ＩＤ＃１には、１６行×１３列のマトリックスの２進数のビット列で表現されるデータが記録される。１列目のビットはＳＹＮＣビット、即ち、同期をとるためのビットである。２から５列目のビットはデータ種類を記録したビット列である。６から１３列目のビットは実際のデータが記録される。
【００９２】
具体的には、データ種類が「００００」から「００１０」までのデータは、相対的なブロックアドレスを意味し、データ種類が「００１１」から「０１０１」までのデータは、パリティを意味し、データ種類が「１１００」のデータの後半部分、即ち、１０列目から１３列目のデータは本発明に係るインデックスの一例を構成する拡張情報を意味する。
【００９３】
このようなフィールド識別番号がＩＤ＃１であるランドプリピットに記録された拡張情報が後述される情報記録再生装置によって読み込まれることにより、Ｌ０層及びＬ１層における記録可能最高速度と最適記録条件が選択されることが可能となる。
【００９４】
具体的には、図８の下部分に示された拡張情報は、コード及び最大フィールド識別番号から構成されている。より具体的には、拡張情報のコードが「００００」である場合には、最大フィールド識別番号は「ＩＤ＃５」となり、拡張情報のコードが「００１０」である場合には、最大フィールド識別番号は「ＩＤ＃１３」となり、拡張情報のコードが「００１１」である場合には、最大フィールド識別番号は「ＩＤ＃１８」となる。
【００９５】
ここで、Ｌ１層のフィールド識別番号がＩＤ＃１であるランドプリピットに記録された拡張情報が「００００」に設定された場合、この拡張情報が、情報記録再生装置によって読み込まれることにより、最大フィールド識別番号は「ＩＤ＃５」となり、前述した図４及び図５で説明したように、１倍速用ストラテジ情報が選択されることが可能となる。
【００９６】
他方、Ｌ０層のフィールド識別番号がＩＤ＃１であるランドプリピットに記録された拡張情報が「００１０」に設定された場合、この拡張情報が、情報記録再生装置によって読み込まれることにより、最大フィールド識別番号は「ＩＤ＃１３」となり、前述した図６及び図７で説明したように、１倍速、２倍速又は４倍速用ストラテジ情報が選択されることが可能となる。
【００９７】
（第２実施例−オポジット方式−）
次に、図９から図１１に加えて前述した図８を適宜参照して、オポジット方式を採用した第２実施例に係る光ディスクのデータ構造、Ｌ０層のリードインエリアに記録されるランドプリピットのデータの種類、ランドプリピットのリードインエリアにおける配置、並びに、ランドプリピットによって記録可能最高速度と最適記録条件の識別原理について説明する。
【００９８】
先ず、図９を参照して、第２実施例に係る光ディスクについてのデータ構造を詳細に説明する。ここに、図９は、第２実施例に係る光ディスクのデータ構造の例を概念的に示すデータ構造図である。
【００９９】
第２実施例に係る光ディスクの基本的な物理的特性及び構造は、第１実施例に係る光ディスクと同様である。
【０１００】
図９に示すように、第２実施例に係る光ディスク１００は、図示しない基板と該基板に積層された２層の記録層、即ち、Ｌ０層とＬ１層を含んでなる。
【０１０１】
Ｌ０層には、内周側から外周側にかけて、リードインエリア１０１−０、データゾーン１０２−０及びミドルエリア１０４−０が設けられている。
【０１０２】
また、Ｌ１層には、内周側から外周側にかけて、リードインアウト１０３−１、データゾーン１０２−１及びミドルエリア１０４−１が設けられている。
【０１０３】
特に、第２実施例に係る光ディスクでは、データの記録又は再生方法において、オポジット方式が採用されている。ここに、オポジット方式とは、情報記録再生装置によってＬ０層において、光ピックアップが内周側から外周側へ向かって、即ち、図９中の矢印の右方向へ移動されるのとは逆に、Ｌ１層においては、光ピックアップが外周側から内周側へ向かって、即ち、図９中の矢印の左方向へ移動される方式である。
【０１０４】
このオポジット方式では、Ｌ０層における記録又は再生が終了されると、Ｌ１層における記録又は再生が開始される時に、光ディスクの最外周にある光ピックアップが再度、最内周へ向かって移動する必要はなく、Ｌ０層からＬ１層への焦点距離だけを切り換えればよいため、Ｌ０層からＬ１層への切り換え時間がパラレル方式と比較して短い。
【０１０５】
次に、図１０を参照して、第２実施例に係る光ディスクのＬ０層のリードインエリアに記録されるランドプリピットのデータの種類について説明する。ここに、図１０は、第２実施例に係る光ディスクのＬ０層のリードインエリアに記録されるランドプリピットのデータの分類を示したテーブル図である。尚、このテーブル図の構造は、前述した図４と同様である。
【０１０６】
図１０に示されるように、Ｌ０層のリードインエリアに記録されるランドプリピットのデータは、フィールド識別番号（Field ID）によってＩＤ＃０からＩＤ＃１８に分類される。
【０１０７】
ＩＤ＃０からＩＤ＃５によって識別されるランドプリピットには、前述した第１実施例を、図５を参照して、説明したＬ１層のリードインエリアに記録されるランドプリピットのデータと同様である。
【０１０８】
ＩＤ＃６によって識別されるランドプリピットには、その他の情報が、光ディスクのＬ０層のリードインエリアにおいて記録される。
【０１０９】
ＩＤ＃７及びＩＤ＃１０によって識別されるランドプリピットには、本発明に係る記録速度情報及び記録条件情報の一例を構成するＬ０層用の１倍速用ストラテジ情報が、光ディスクのＬ０層のリードインエリアにおいて記録される。
【０１１０】
ＩＤ＃８及びＩＤ＃９によって識別されるランドプリピットには、本発明に係る識別情報の一例を構成する製造識別番号の情報が、光ディスクのＬ０層のリードインエリアにおいて記録される。
【０１１１】
ＩＤ＃１１及びＩＤ＃１２によって識別されるランドプリピットには、本発明に係る記録速度情報及び記録条件情報の一例を構成するＬ０層用の２倍速用ストラテジ情報が、光ディスクのＬ０層のリードインエリアにおいて記録される。
【０１１２】
ＩＤ＃１３からＩＤ＃１８によって識別されるランドプリピットには、本発明に係る記録速度情報及び記録条件情報の一例を構成するＬ０層用の４倍速用ストラテジ情報が、光ディスクのＬ０層のリードインエリアにおいて記録される。
【０１１３】
次に、図１１を参照して、オポジット方式を採用した第２実施例に係る光ディスクのＬ０層におけるランドプリピットのリードインエリアにおける配置について説明する。ここに、図１１は、オポジット方式を採用した第２実施例に係る光ディスクのＬ０層におけるランドプリピットのリードインエリアにおける配置及びＥＣＣブロックアドレスを示したテーブル図である。尚、このテーブル図の構造は、前述した第１実施例における図５と同様である。
【０１１４】
図１１に示されるように、ＩＤ＃１からＩＤ＃１８若しくはＩＤ＃０のフィールド識別番号によって識別されるランドプリピットがＬ０層のリードインエリアにおいて、周期的に記録されている。これらのランドプリピットは、例えば「ＦＦＤＤ０５」から「ＦＦＣＦＦＦ」までのＥＣＣブロックアドレスに配置されている。
【０１１５】
次に、前述した図８を参照して、オポジット方式を採用した第２実施例に係る光ディスクのＬ０層のリードインエリアに記録されるランドプリピットによって記録可能最高速度と最適記録条件が識別される原理について説明する。
【０１１６】
図８で示されたフィールド識別番号がＩＤ＃１であるランドプリピットに記録された拡張情報が後述される情報記録再生装置によって読み込まれることにより、Ｌ０層及びＬ１層における記録可能最高速度と最適記録条件が選択されることが可能となる。
【０１１７】
具体的には、前述した図８の下部分に示されるように、Ｌ０層のフィールド識別番号がＩＤ＃１であるランドプリピットに記録された拡張情報が「００１１」に設定された場合、この拡張情報が、情報記録再生装置によって読み込まれることにより、最大フィールド識別番号は「ＩＤ＃１８」となり、前述した図１０及び図１１で説明したように、Ｌ１層に対しては、１倍速用ストラテジ情報が選択されると同時に、Ｌ０層に対しては、１倍速、２倍速又は４倍速用ストラテジ情報が選択されることが可能となる。
【０１１８】
（情報記録再生装置）
次に図１２を参照して、本発明に係る情報記録装置の構成及び動作について説明する。特に、本実施例は、本発明に係る情報記録装置を前述した光ディスク用の情報記録再生装置に適用した例である。
【０１１９】
先ず、図１２を参照して、本発明の実施例に係る情報記録再生装置３００の構成について説明する。ここに、図１２は、本発明の実施例に係る情報記録再生装置３００のブロック図である。尚、情報記録再生装置３００は、光ディスク１００に記録データを記録する機能と、光ディスク１００に記録された記録データを再生する機能とを備える。
【０１２０】
図１２を参照して情報記録再生装置３００の内部構成を説明する。情報記録再生装置３００は、プロセッサ３５４の制御下で、光ディスク１００に情報を記録すると共に、光ディスク１００に記録された情報を読み取る装置である。
【０１２１】
情報記録再生装置３００は、光ディスク１００、スピンドルモータ３５１、光ピックアップ３５２、信号記録再生手段３５３、プロセッサ（ドライブ制御手段）３５４、メモリ３５５、データ入出力制御手段３０６、操作ボタン３１０、表示パネル３１１、及びバス３５７により構成されている。
【０１２２】
スピンドルモータ３５１は光ディスク１００を回転及び停止させるもので、光ディスクへのアクセス時に動作する。より詳細には、スピンドルモータ３５１は、図示しないサーボユニット等によりスピンドルサーボを受けつつ所定速度で光ディスク１００を回転及び停止させるように構成されている。
【０１２３】
光ピックアップ３５２は光ディスク１００への記録再生を行うもので、レーザー装置とレンズから構成される。より詳細には、光ピックアップ３５２は、光ディスク１００に対してレーザービーム等の光ビームを、再生時には読み取り光として第１のパワーで照射し、記録時には書き込み光として第２のパワーで且つ変調させながら照射する。
【０１２４】
信号記録再生手段３５３は、スピンドルモータ３５１と光ピックアップ３５２を制御することで光ディスク１００に対して記録再生を行う。
【０１２５】
メモリ３５５は、記録再生データのバッファ領域や、信号記録再生手段３５３で使用出来るデータに変換する時の中間バッファとして使用される領域などディスクドライブ３００におけるデータ処理全般において使用される。また、メモリ３５５はこれらレコーダ機器としての動作を行うためのプログラムが格納されるＲＯＭ領域と、映像データの圧縮伸張で用いるバッファやプログラム動作に必要な変数が格納されるＲＡＭ領域などから構成される。
【０１２６】
特に、本実施例では、メモリ３５５は、本発明に係る記憶手段の一例を構成し、このメモリ３５５において、Ｌ０層に加えて又は代えてＬ１層における記録可能最高速度と最適レーザパワーやストラテジ等の最適記録条件が取得される。
【０１２７】
プロセッサ（ドライブ制御手段）３５４は、信号記録再生手段３５３、メモリ３５５と、バス３５７を介して接続され、各制御手段に指示を行うことで、情報記録再生装置３００全体の制御を行う。通常、プロセッサ３５４が動作するためのソフトウェアは、メモリ３５５に格納されている。
【０１２８】
データ入出力制御手段３０６は、情報記録再生装置３００に対する外部からデータ入出力を制御し、メモリ３５５上のデータバッファへの格納及び取り出しを行う。データの入出力が映像信号である場合には、データ入力時には外部から受け取ったデータをＭＰＥＧフォーマットに圧縮（エンコード）してからメモリ３５５へ出力し、データ出力時には、メモリ３５５から受け取ったＭＰＥＧフォーマットのデータを伸張（デコード）してから外部へ出力する。
【０１２９】
操作制御手段３０７は情報記録再生装置３００に対する動作指示受付と表示を行うもので、記録又は再生といった操作ボタン３１０による指示をプロセッサ３５４に伝え、記録中や再生中といった情報記録再生装置３００の動作状態を蛍光管などの表示パネル３１１に出力する。
【０１３０】
このように、情報記録再生装置３００の一例である、家庭用機器では映像を記録再生するレコーダ機器である。このレコーダ機器は放送受信チューナや外部接続端子からの映像信号をディスクに記録し、テレビなど外部表示機器にディスクから再生した映像信号を出力する機器である。メモリ３５５に格納されたプログラムをプロセッサ３５４で実行させることでレコーダ機器としての動作を行っている。
【０１３１】
（情報記録装置による記録動作の流れ）
次に図１３を参照して、本発明の実施例に係る光ディスクの情報記録装置による記録動作の流れについて詳細に説明する。ここに、図１３は本発明の実施例に係る情報記録装置による光ディスクの記録動作を示したフローチャート図である。
【０１３２】
先ず、図１３に示されるように、パラレル方式の場合、情報記録装置の光ピックアップによって、前述したＬ０層及びＬ１層のリードインエリアにおける、本発明に係るインデックスの一例を構成する拡張情報が読み込まれ、取得される（ステップＳ１０１）。他方、オポジット方式の場合、前述したように、例えばＬ０層のリードインエリアにおける拡張情報が読み込まれ、取得される。
【０１３３】
従って、Ｌ０層に加えて又は代えてＬ１層における記録可能最高速度と最適レーザパワーやストラテジ等の最適記録条件が情報記録装置のメモリ等に取得される。尚、ここでは、本発明の実施例に係る光ディスクが挿入されていると仮定する。
【０１３４】
次に、情報記録装置の光ピックアップは、対象となる記録層へ移動される（ステップＳ１０２）。
【０１３５】
次に、対象となる記録層がＬ０層であるか否かが判定される（ステップＳ１０３）。ここで、対象となる記録層がＬ０層である場合（ステップＳ１０３：Ｙｅｓ）、Ｌ０層における記録可能最高速度と最適レーザパワーやストラテジ等の最適記録条件が選択される（ステップＳ１０４）。
【０１３６】
他方、ステップＳ１０３の判定の結果、対象となる記録層がＬ１層である場合（ステップＳ１０３：Ｎｏ）、Ｌ１層における記録可能最高速度と最適レーザパワーやストラテジ等の最適記録条件が選択される（ステップＳ１０５）。
【０１３７】
続いて、対象となる記録層に対して、選択された最適記録条件の下で記録用レーザが照射され、実際の記録が行われる（ステップＳ１０６）。
【０１３８】
尚、上述の実施例では、パラレル方式とオポジット方式とについて説明したが、例えば層間ジャンプを頻繁に行なうような他の方式に対しても、本発明は適用可能である。
【０１３９】
本発明は、上述した実施例に限られるものではなく、請求の範囲及び明細書全体から読み取れる発明の要旨或いは思想に反しない範囲で適宜変更可能であり、そのような変更を伴なう情報記録媒体、情報記録装置及び方法もまた本発明の技術的範囲に含まれるものである。
【産業上の利用可能性】
【０１４０】
本発明に係る情報記録媒体、情報記録装置及び方法は、例えばＤＶＤ等の情報記録媒体、並びにＤＶＤレコーダ等の情報記録装置及び方法に利用可能である。
【図面の簡単な説明】
【０１４１】
【図１】本発明の情報記録媒体の第１実施例に係る光ディスクの基本構造を示し、上側部分は複数の記録領域を有する光ディスクの概略平面図であり、これに対応付けられる下側部分は、その径方向における記録領域構造の図式的概念図である。
【図２】本発明の第１実施例に係る光ディスクの記録面における部分拡大斜視図である。
【図３】本発明の第１実施例に係るパラレル方式の場合の光ディスクのデータ構造の例を概念的に示すデータ構造図である。
【図４】本発明の第１実施例に係る光ディスクのＬ１層のリードインエリアに記録されるランドプリピットのデータの分類を示したテーブル図である。
【図５】本発明の第１実施例に係る光ディスクのＬ１層におけるランドプリピットのリードインエリアにおける配置及びＥＣＣブロックアドレスを示したテーブル図である。
【図６】本発明の第１実施例に係る光ディスクのＬ０層のリードインエリアに記録されるランドプリピットのデータの分類を示したテーブル図である。
【図７】本発明の第１実施例に係る光ディスクのＬ０層におけるランドプリピットのリードインエリアにおける配置及びＥＣＣブロックアドレスを示したテーブル図である。
【図８】本発明の第１実施例等に係る光ディスクのＬ０層及びＬ１層のリードインエリアに記録されるフィールド識別番号がＩＤ＃１であるランドプリピットのデータの詳細構造を示したテーブル図等である。
【図９】本発明の第２実施例に係るオポジット方式の場合の光ディスクのデータ構造の例を概念的に示すデータ構造図である。
【図１０】本発明の第２実施例に係る光ディスクのＬ０層のリードインエリアに記録されるランドプリピットのデータの分類を示したテーブル図である。
【図１１】本発明の第２実施例に係る光ディスクのＬ０層におけるランドプリピットのリードインエリアにおける配置及びＥＣＣブロックアドレスを示したテーブル図である。
【図１２】本発明の実施例に係る情報記録再生装置３００のブロック図である。
【図１３】本発明の実施例に係る情報記録装置による光ディスクの記録動作を示したフローチャート図である。
【符号の説明】
【０１４２】
１          センターホール
１０        トラック
１１        ＥＣＣブロック
１００      光ディスク
１０１      リードインエリア
１０２      データゾーン
１０３      リードアウトエリア
１０６      透明基板
１０７      第１記録層
１０９      ウォブル
１０８      半透過反射膜
２０５      中間層
２０７      第２記録層
２０８      反射膜
３００      情報記録再生装置
３０６      データ入出力制御手段
３０７      操作制御手段
３１０      操作ボタン
３１１      表示パネル
３５１      スピンドルモータ
３５２      光ピックアップ
３５３      信号記録再生手段
３５４      プロセッサ（ドライブ制御手段）
３５５      メモリ
ＧＴ        グルーブトラック
ＬＴ        ランドトラック
ＬＢ        レーザ光
ＬＰ        ランドプリピット
【図１】
2006190476.tif 000003
【図２】
2006190476.tif 000004
【図３】
2006190476.tif 000005
【図４】
2006190476.tif 000006
【図５】
2006190476.tif 000007
【図６】
2006190476.tif 000008
【図７】
2006190476.tif 000009
【図８】
2006190476.tif 000010
【図９】
2006190476.tif 000011
【図１０】
2006190476.tif 000012
【図１１】
2006190476.tif 000013
【図１２】
2006190476.tif 000014
【図１３】
2006190476.tif 000015
【手続補正書】
【提出日】平成18年3月30日(2006.3.30)
【手続補正１】
【補正対象書類名】特許請求の範囲
【補正対象項目名】全文
【補正方法】変更
【補正の内容】
【特許請求の範囲】
【請求項１】
情報を夫々記録するための複数の記録層と、
（i）前記複数の記録層毎における、第１の記録速度に夫々対応した第１の記録条件情報と、（ii）前記複数の記録層のうち少なくとも一の記録層における、第２の記録速度に対応した第２の記録条件情報と、が記録されている管理情報領域を有することを特徴とする情報記録媒体。
【請求項２】
前記第２の記録速度は、前記第１の記録速度のＮ倍（但し、Ｎは、２以上の自然数）の速度であることを特徴とする請求項１に記載の情報記録媒体。
【請求項３】
前記管理情報領域には、当該情報記録媒体を識別する識別情報が記録されていることを特徴とする請求項１に記載の情報記録媒体。
【請求項４】
前記記録条件情報は、ストラテジ情報を含むことを特徴とする請求項１に記載の情報記録媒体。
【請求項５】
前記記録条件情報は、記録用レーザの最適パワー情報を含むことを特徴とする請求項１に記載の情報記録媒体。
【請求項６】
前記複数の記録層のうち一の記録層は、記録方向が、内周側から外周側となるトラックを有し、前記複数の記録層のうち他の記録層は、記録方向が、外周側から内周側となるトラックを有することを特徴とする請求項１に記載の情報記録媒体。
【請求項７】
情報を夫々記録するための複数の記録層と、（i）前記複数の記録層毎における、第１の記録速度に夫々対応した第１の記録条件情報と、（ii）前記複数の記録層のうち少なくとも一の記録層における、第２の記録速度に対応した第２の記録条件情報と、が記録されている管理情報領域を有する情報記録媒体に前記情報を記録する情報記録装置であって、
前記管理情報領域から前記記録条件情報を取得する記録条件情報取得手段と、
前記情報を記録する記録層を選択する記録層選択手段と、
前記記録層選択手段によって選択された記録層に対して、前記記録条件情報取得手段によって取得された前記記録条件情報に基づいて前記情報を記録する記録手段と
を備えたことを特徴とする情報記録装置。
【請求項８】
情報を夫々記録するための複数の記録層と、（i）前記複数の記録層毎における、第１の記録速度に夫々対応した第１の記録条件情報と、（ii）前記複数の記録層のうち少なくとも一の記録層における、第２の記録速度に対応した第２の記録条件情報と、が記録されている管理情報領域を有する情報記録媒体に前記情報を記録する情報記録方法であって、
前記管理情報領域から前記記録条件情報を取得する記録条件情報取得工程と、
前記情報を記録する記録層を選択する記録層選択工程と、
前記記録層選択工程によって選択された記録層に対して、前記記録条件情報取得工程によって取得された前記記録条件情報に基づいて前記情報を記録する記録工程と
を備えたことを特徴とする情報記録方法。